(57)【要約】【課題】本発明は、真っ直ぐ滑るだけでなく、左右に蛇行しながら滑ることのできる滑走パネル及び滑り台を提供することを目的とする。【解決手段】  使用者が滑走する滑走面５１と、前記滑走面５１から突出し、滑走してきた使用者を方向転換させるように前記滑走面５１に沿って湾曲する湾曲側面５３を有する凸部５２とを備えた。【選択図】図２
2017225616.tif 000002
【特許請求の範囲】
【請求項１】
使用者が滑走する滑走面と、
前記滑走面から突出し、滑走してきた使用者を方向転換させるように前記滑走面に沿って湾曲する湾曲側面を有する凸部とを備えたことを特徴とする滑走パネル。
【請求項２】
請求項１に記載の滑走パネルにおいて、
前記凸部は、前記湾曲側面の先端に近い程、前記滑走面に対する高さが低くなるように形成されたことを特徴とする滑走パネル。
【請求項３】
請求項１または２に記載の滑走パネルにおいて、
前記凸部は、前記湾曲側面の先端に近い程、前記滑走面に対する傾きが漸次小さくなるように形成されたことを特徴とする滑走パネル。
【請求項４】
請求項１乃至３のいずれか１項に記載の滑走パネルにおいて、
前記凸部は、前記湾曲側面の先端が前記滑走面と段差無く滑らかに繋がるように形成されたことを特徴とする滑走パネル。
【請求項５】
請求項１乃至４のいずれか１項に記載の滑走パネルにおいて、
前記凸部は、前記湾曲側面の反対側面が前記湾曲側面から遠い程、前記滑走面に対する高さが低くなるように形成されたことを特徴とする滑走パネル。
【請求項６】
請求項１乃至５のいずれか１項に記載の滑走パネルにおいて、
前記凸部は、前記湾曲側面の反対側面が前記湾曲側面から遠い程傾きが漸次小さく形成されたことを特徴とする滑走パネル。
【請求項７】
請求項１乃至６のいずれか１項に記載の滑走パネルにおいて、
使用者が真っ直ぐに滑走する第１の滑走経路と、
複数の前記凸部が前記第１の滑走経路を挟んで配置され、使用者が前記凸部で方向転換するとともに前記第１の滑走経路と交差して蛇行しながら滑走する第２の滑走経路とを有することを特徴とする滑走パネル。
【請求項８】
請求項７に記載の滑走パネルにおいて、
複数の前記凸部が、前記第１の滑走経路に沿って左右交互に配置されたことを特徴とする滑走パネル。
【請求項９】
請求項１乃至８のいずれか１項に記載の滑走パネルにおいて、
前記滑走面を形成する部材は、半透明に形成されたことを特徴とする滑走パネル。
【請求項１０】
請求項１乃至９のいずれか１項に記載の滑走パネルを備えたことを特徴とする滑り台。
【発明の詳細な説明】
【技術分野】
【０００１】
本発明は、滑走パネル及びこれを用いた滑り台に関する。
【背景技術】
【０００２】
従来、公園等に設置される滑り台が知られている（例えば、特許文献１参照）。この種の滑り台は、真っ直ぐ滑るものが一般的であった。また、滑走面及びその左右に形成された側壁を湾曲させ、使用者がスラロームのように左右に蛇行しながら滑ることのできる滑り台も考案されていた。
【先行技術文献】
【特許文献】
【０００３】
【特許文献１】特開２０１２−１００７３０
【発明の概要】
【発明が解決しようとする課題】
【０００４】
しかしながら、上記従来の技術による滑り台では、真っ直ぐに滑るか、あるいは左右に蛇行しながら滑るかのいずれか一方のみ可能であり、いずれの滑り方も実現するには両方の滑り台を個別に設ける必要があり、それぞれを設けるための場所が必要であるとともに、製造コストが高くなってしまっていた。
【０００５】
本発明の目的は、上述した従来の技術が有する課題を解消し、真っ直ぐ滑るだけでなく、左右に蛇行しながら滑ることのできる滑走パネル及び滑り台を提供することにある。
【課題を解決するための手段】
【０００６】
本発明は、使用者が滑走する滑走面と、前記滑走面から突出し、滑走してきた使用者を方向転換させるように前記滑走面に沿って湾曲する湾曲側面を有する凸部とを備えたことを特徴とする。
【０００７】
この場合において、前記凸部は、前記湾曲側面の先端に近い程、前記滑走面に対する高さが低くなるように形成されていてもよい。前記凸部は、前記湾曲側面の先端に近い程、前記滑走面に対する傾きが漸次小さくなるように形成されていてもよい。前記凸部は、前記湾曲側面の先端が前記滑走面と段差無く滑らかに繋がるように形成されていてもよい。前記凸部は、前記湾曲側面の反対側面が前記湾曲側面から遠い程、前記滑走面に対する高さが低くなるように形成されていてもよい。前記凸部は、前記湾曲側面の反対側面が前記湾曲側面から遠い程傾きが漸次小さく形成されていてもよい。使用者が真っ直ぐに滑走する第１の滑走経路と、複数の前記凸部が前記第１の滑走経路を挟んで配置され、使用者が前記凸部で方向転換するとともに前記第１の滑走経路と交差して蛇行しながら滑走する第２の滑走経路とを有していてもよい。複数の前記凸部が、前記第１の滑走経路に沿って左右交互に配置されていてもよい。前記滑走面を形成する部材は、半透明に形成されていてもよい。
【発明の効果】
【０００８】
本発明では、真っ直ぐに滑るだけでなく、左右に蛇行しながら滑ることができる。
【図面の簡単な説明】
【０００９】
【図１】本実施形態に係る滑り台を示す斜視図である。
【図２】滑走パネルを示す斜視図である。
【図３】滑走パネルどうしの接続部を示す断面図である。
【図４】図４（a）は滑走パネルを模式的に示す上面図であり、図４（ｂ）は滑走パネルの側面図であり、図４（ｃ）は滑走パネルのＡ−Ａ断面図である。
【発明を実施するための形態】
【００１０】
以下、図面を参照して、本発明の好適な実施の形態について説明する。
図１は、本実施形態に係る滑り台を示す斜視図である。以下、滑り台１００について説明する。
【００１１】
本実施形態に係る滑り台１００は、公園等に設置されて主に子供が遊ぶための遊具である。この滑り台１００は、本体ユニット１０、階段ユニット２０、リーフポールユニット３０、滑り台ユニット４０を備えている。
【００１２】
本体ユニット１０は、複数の柱１１及び床板１２を備えている。床板１２は、複数の柱１１を渡して取り付けられており、この床板１２の縁部に設けられた図示せぬ接続部で、階段ユニット２０、リーフポールユニット３０、滑り台ユニット４０が接続されるようになっている。
【００１３】
階段ユニット２０は、本体ユニット１０の床板１２上と地面Ｇとの間を使用者が昇降するための階段である。
【００１４】
リーフポールユニット３０は、金属製のパイプを曲げて形成されており、本体ユニット１０の床板１２上と地面Ｇとの間を使用者が昇降可能になっている。
【００１５】
滑り台ユニット４０は、本体ユニット１０の床板１２上から地面Ｇまで使用者が滑走可能になっている。この滑り台ユニット４０は、２枚の長方形の滑走パネル４１、４枚の扇形の滑走パネル４２、接続パネル４３、側壁４４、及び下端部４５を備えている。
【００１６】
長方形の滑走パネル４１及び扇形の滑走パネル４２は、使用者が滑走するための滑走面５１（図２参照）と、凸部５２（図２参照）とを有している。これら滑走パネル４１，４２は、上端に接続された接続パネル４３、下端に接続された下端部４５、及び裏側に接続された複数の柱４６によって支持されている。
【００１７】
接続パネル４３は、滑走パネル４１，４２と本体ユニット１０とを接続するためのパネルである。この接続パネル４３は、滑走パネル４１，４２と略同じ傾きで設けられており、使用者が滑り易いように上面が滑らかに形成されている。
【００１８】
側壁４４は、複数配列された滑走パネル４１，４２の両側縁部に取り付けられており、滑走する使用者の滑走パネル４１，４２外への移動を制限するようになっている。
【００１９】
下端部４５は、滑走パネル４１，４２の下端に取り付けられている。この下端部４５は、上部が滑走パネル４１，４２と略同じ傾きで形成されている一方、下部が地面Ｇと略平行に形成されており、上部と下部との間は滑らかな曲面で結ばれている。
【００２０】
滑走パネル４１，４２は、例えば青色である半透明のＦＲＰ製のパネルであり、使用者が上端側から下端側に向けて滑走するようになっている。なお、図１では、扇形の滑走パネル４２は、接地された向きの関係により裏側の様子を表していないが、扇形の滑走パネル４２も長方形の滑走パネル４１と同程度の透過率で形成されている。この滑走パネル４１，４２は、滑走面５１を形成する部材及び凸部５２が半透明であることにより、滑走パネル４１，４２の裏側の柱４４や、柱４４どうしを接続するパネルや、裏側にいる使用者等を視認可能に設けられている。これにより、子供が滑走パネル４１，４２の裏側で遊んでいても、子供の保護者は滑走パネル４１，４２の表側から子供の様子をぼんやりと視認することができ、滑走パネル４１，４２の裏側を安全な空間にすることができる。また、滑走面５１を形成する部材及び凸部５２が半透明であることにより、雨や紫外線から使用者を守りつつ、滑走パネル４１，４２の裏側にも光を取り入れて明るくすることができる。このとき、滑走面５１を形成する部材及び凸部５２を青色の半透明にすることにより、波のような凸部５２の形状と相まって、滑走パネル４１，４２の裏側の空間を海中にいるかのような空間にすることができる。
【００２１】
以下、滑走パネル４１，４２について説明する。なお、長方形の滑走パネル４１及び扇形の滑走パネル４２は、パネル形状以外は共通の構成を有しているため、ここでは長方形の滑走パネル４１について説明する。
【００２２】
図２は滑走パネルを示す斜視図であり、図３は滑走パネルどうしの接続部を示す断面図であり、図４（a）は滑走パネルを模式的に示す上面図であり、図４（ｂ）は滑走パネルの側面図であり、図４（ｃ）は滑走パネルのＡ−Ａ断面図である。
【００２３】
滑走パネル４１は、図２に示すように、表面に滑らかな滑走面５１が形成されている。この滑走面５１上には三日月形の複数の凸部５２が一体的に形成されている。三日月形に形成された凸部５２は、内側に、滑走してきた使用者を方向転換させるように滑走面５１に沿って湾曲する湾曲側面５３が形成されている。これら複数の凸部５２は、右側に湾曲した凸部５２と左側に湾曲した凸部５２とが下向きの方向Ｓに沿って左右交互に配列されている。
【００２４】
滑走パネル４１の縁は、滑走面５１から裏面に略直角に屈曲して形成された枠部５４が全周に亘って形成されている。この枠部５４には、４辺に沿って複数の孔５５が形成されている。この孔５５に、図３に示すように、ボルト６１を通し、通したボルト６１にナット６２を締め付けることにより、滑走パネル４１は、他の滑走パネル４１，４２、接続パネル４３、側壁４４、及び下端部４５等に固定が可能になっている。
【００２５】
滑走パネル４１は、図４（ａ）に示すように、滑走パネル４１上を下向きの方向Ｓに沿って滑走する第１の滑走経路Ｒ１と、使用者が凸部５２の湾曲側面５３で方向転換しながらスラロームのように蛇行して滑走する第２の滑走経路Ｒ２とを有している。
【００２６】
第１の滑走経路Ｒ１は、凸部５２が下向きの方向Ｓに沿って配列された一方の列及び他方の列の間を、使用者が下向きの方向Ｓに沿って真っ直ぐに滑走パネル４１に進入して滑走する場合に通ることができる。この第１の滑走経路Ｒ１は、下向きの方向Ｓに沿って左右交互に隣り合って配列された２つの凸部５２の一方の凸部５２の先端５６と他方の凸部５２の先端５７との境界近傍を通過している。これら凸部５２の先端５６，５７は、図４（ｂ）に示すように、凸部５２の他の部分よりも厚さが薄くなって滑走面５１と段差の無い滑らかな連続的な面で繋がって形成されている。また、第１の滑走経路Ｒ１は、図４（ｃ）に示すように、下向きの方向Ｓに垂直な方向に隣り合う一方の凸部５２及び他方の凸部５２の間の谷間を通っている。
【００２７】
谷間は一方の凸部５２の先端５６，５７と他方の凸部５２の湾曲側面５３の反対側面５８とで形成されており、矢印Ａ−Ａで示す方向に見た時に先端５６，５７及び反対側面５８は凸部５２毎に略対称な形状を有している。この谷間を形成する凸部５２は、湾曲側面５３側は先端５６，５７に近いほど、湾曲側面５３の反対側面５８は湾曲側面５３から遠いほど、滑走面５１に対する高さが低く、かつ傾きが漸次小さくなっており、滑走面５１との境界は段差の無い滑らかな連続的な面で形成されている。凸部５２，５２どうしの間に勾配の緩やかな谷間が形成されたことにより、第１の滑走経路Ｒ１では、図４（ａ）に示すように、使用者は凸部５２による影響を受けることなく真っ直ぐに滑走パネル４１上を滑走できるようになっている。
【００２８】
一方、第２の滑走経路は、使用者が凸部５２の内側の湾曲測面５３に向かって斜めに滑走パネル４１に進入するように滑走する場合に通ることができる。この第２の滑走経路Ｒ２では、滑走している使用者が各凸部５２の湾曲側面５３による影響を次々と受けて方向転換を繰り返すため、使用者が滑走面５１上を蛇行しながら滑走できるようになっている。
【００２９】
本実施形態に係る滑走パネル４１，４２及びこれを用いた滑り台１００は、使用者が滑走する滑走面５１と、滑走面５１から突出し、滑走してきた使用者を方向転換させるように滑走面５１に沿って湾曲する湾曲側面５３を有する凸部５２とを備えている。これにより、凸部５２の湾曲側面５３を通らないで滑る使用者は凸部５２による影響を受けない第１の滑走経路Ｒ１で滑走可能である一方、凸部５２の湾曲側面５３を通って滑る使用者は方向転換することにより第２の滑走経路Ｒ２で滑走可能である。このため、滑走パネル４１，４２及びこれを用いた滑り台１００は、使用者が真っ直ぐ滑るだけでなく、左右に蛇行しながら滑ることができる。
【００３０】
以上、一実施形態に基づいて本発明を説明したが、本発明は、これに限定されるものではない。上記実施形態では、三日月形の凸部５２を用いているが、これに限定されない。湾曲側面を通らないで滑る使用者の滑走方向に影響を与えず、かつ、湾曲側面を通って滑る使用者に方向転換させる形状であれば凸部は三日月形以外の形状を有していてもよい。
【符号の説明】
【００３１】
１０    本体ユニット
１１    柱
１２    床板
２０    階段ユニット
３０    リーフポールユニット
４０    滑り台ユニット
４１    滑走パネル
４２    滑走パネル
４３    接続パネル
４４    側壁
４５    下端部
４６    柱
５１    滑走面
５２    凸部
５３    湾曲側面
５４    枠部
５５    孔
５６    先端
５７    先端
５８    反対側面
１００    滑り台
Ｇ    地面
Ｓ    下向きの方向
Ｒ１    第１の滑走経路
Ｒ２    第２の滑走経路
【図１】
2017225616.tif 000003
【図２】
2017225616.tif 000004
【図３】
2017225616.tif 000005
【図４】
2017225616.tif 000006
【手続補正書】
【提出日】平成29年5月25日(2017.5.25)
【手続補正１】
【補正対象書類名】特許請求の範囲
【補正対象項目名】全文
【補正方法】変更
【補正の内容】
【特許請求の範囲】
【請求項１】
使用者が滑走する滑走面と、
前記滑走面から突出し、滑走してきた使用者を方向転換させるように前記滑走面に沿って湾曲する湾曲側面を有する凸部とを備え、
前記凸部は、前記湾曲側面の先端に近い程、前記滑走面に対する傾きが漸次小さくなるように形成されているとともに、前記湾曲側面の反対側面が前記湾曲側面から遠い程傾きが漸次小さくなるように形成された、左右対称な形状を有していることを特徴とする滑走パネル。
【請求項２】
請求項１に記載の滑走パネルにおいて、
前記凸部は、前記湾曲側面の先端が前記滑走面と段差無く滑らかに繋がるように形成されたことを特徴とする滑走パネル。
【請求項３】
請求項１または２に記載の滑走パネルにおいて、
使用者が真っ直ぐに滑走する第１の滑走経路と、
複数の前記凸部が前記第１の滑走経路を挟んで配置され、使用者が前記凸部で方向転換するとともに前記第１の滑走経路と交差して蛇行しながら滑走する第２の滑走経路とを有することを特徴とする滑走パネル。
【請求項４】
請求項３に記載の滑走パネルにおいて、
複数の前記凸部が、前記第１の滑走経路に沿って左右交互に配置されたことを特徴とする滑走パネル。
【請求項５】
請求項１乃至４のいずれか１項に記載の滑走パネルにおいて、
前記滑走面を形成する部材は、半透明に形成されたことを特徴とする滑走パネル。
【請求項６】
請求項１乃至５のいずれか１項に記載の滑走パネルを備えたことを特徴とする滑り台。